(57)【特許請求の範囲】
【請求項１】
直線状の廊下及びこの廊下の左右又は左又は右に形成された非居室用の床暖房装置であって、
前記直線状の廊下に敷設され、一定の間隔で小根太が組み付けられ、温水の入出力ヘッダーが１ケ所又は複数箇所に設けられた単数又は複数枚のセンター温水マットと、
前記センター温水マットを中心として左右又は左又は右に形成された非居室部に敷設され、一定の間隔で小根太が組み付けられ、温水の入出力ヘッダーが１ケ所又は複数箇所に設けられた単数又は複数枚の分岐温水マットから構成され、
前記入出力ヘッダーには、温水マットに配管されている放熱チューブの温水入口が接続された入力ヘッダーと、この放熱チューブが温水マット内を一巡して来た温水の出口が接続された出力ヘッダーが設けられていること、
隣接して敷設された温水マットの入出力ヘッダーは、互いに対向するように設定されていると共に、この対向した入出力ヘッダー間において、一方の出力ヘッダーは他方の入力ヘッダーに結ばれ、他方の出力ヘッダーは前記一方の入力ヘッダーにそれぞれ結ばれていること、
前記温水マットの放熱チューブは、小根太間を迂回しながら全体の温水マットを一巡するように結ばれていて、熱源機から最初に入力された入出力ヘッダーに還るように構成されていること、
を特徴とする非居室用床暖房装置。
【発明の詳細な説明】
【技術分野】
【０００１】
本発明は、特に脱衣室とかトイレ、廊下等のように、複雑な床形状の現場においての床暖房を可能にした床暖房装置に関する。
【背景技術】
【０００２】
暖房設備が施工されている居室から暖房設備の施工されていないトイレとか脱衣室に急に入ったときに、特に高齢者には冷温負荷による健康上の問題が発生する心配があることから、近年はトイレとか脱衣室等に暖房設備を施工する例が多い。また、より快適性を求めて玄関や廊下にも暖房設備を施工する例もある。
【０００３】
例えば、トイレの床に電気ヒーターを施工する例として特開２００３−３４３８６５号
公報に紹介されている例とか、トイレに電気温風式の暖房設備を施工する例として特開平３−７７５１３号公報に紹介されている例等がある。
【０００４】
しかし、これらの暖房設備の場合は、電気工事が必要になることから、施工費が嵩むという問題がある。
【０００５】
また、脱衣室に温水式の床暖房を施工する例としては、特開２００４−２９３８５５号公報に紹介されている例がある。
しかし、この例においては、温水マットは熱源機と床下配管にて接続する必要があるため、施工に手間とコストがかかる。
【０００６】
また、この例においては、熱源機と脱衣室間は、独立した温水導管で結ばれていることから、熱源機側のヘッダーの入出力系統を一系統占有するため、系統チャンネルが不足するという問題が発生することもある。
【０００７】
また、脱衣室とは別にトイレにおいても床暖房装置を施工する場合には、脱衣室とは別に温水導管を配管する必要があり、この時の温水導管は床下配管となるため、工事費が嵩むばかりでなく、現場の状況によっては配管工事が難しい場合もある。
【０００８】
そこで、居室の床暖房設備に付属させて、トイレ等に小型の温水マットを施工し、この温水マット内には居室の温水マットを一巡して熱源機に還る温水を利用して暖房を行うようにした例も公知である（特開２００４−１６３０６９公報）。
【０００９】
しかし、この温水式の暖房設備の場合、居室を一巡して熱源機に還る温水は更にトイレとか脱衣室内の温水マットを経由するため、還る途中での圧損が非常に大きくなり、循環ポンプに大型のものを用意する必要がある。
【００１０】
また、居室の温水マットには約６０℃の温水を供給する設計となっており、この居室から還る温水の温度は約５０℃前後に低下したものがトイレとか脱衣室内を循環するため、更にここで温水の温度は約４０〜４５℃までに低下してから熱源機に還るようになる。
【００１１】
熱源機では、これを再び６０℃前後まで加熱して出湯する必要があり、熱源機の負荷が増大するという問題がある。
【００１２】
また、従来の居室用の温水マットは、その大きさは規格化されており、トイレとか脱衣室の床に施工するには一般的に大きすぎて用いることができない。
【００１３】
また、トイレとか脱衣室などにおいてどうしても床暖房を行いたい場合には、規格化された温水マットがないことから、特注で製作する必要があり、コストがかかる。
【００１４】
また、トイレとか脱衣室といった非居室に限らず、居室部においても中心部に柱があるなどの複雑な床形状に対応するには、このような床形状に適用できる温水マットは無いことから、この場合も特注で製作する必要があり、コストがかかる。
【発明の概要】
【発明が解決しようとする課題】
【００１５】
本発明は、叙上の如き問題点に鑑みて提供されるものであって、その目的は、千差万別となる非居室のように複雑な床形状、あるいは居室の中央に柱が在るような床形状に合わせて既製の温水マットの中から選択して施工することにより、特注の温水マットでなくても施工可能とした床暖房装置を提供することである。
【課題を解決するための手段】
【００１６】
上記目的を達成するため、請求項１に記載した発明は、非居室用床暖房装置において、直線状の廊下及びこの廊下の左右又は左又は右に形成された非居室用の床暖房装置であって、前記直線状の廊下に敷設され、一定の間隔で小根太が組み付けられ、温水の入出力ヘッダーが１ケ所又は複数箇所に設けられた単数又は複数枚のセンター温水マットと、前記センター温水マットを中心として左右又は左又は右に形成された非居室部に敷設され、一定の間隔で小根太が組み付けられ、温水の入出力ヘッダーが１ケ所又は複数箇所に設けられた単数又は複数枚の分岐温水マットから構成され、前記入出力ヘッダーには、温水マットに配管されている放熱チューブの温水入口が接続された入力ヘッダーと、この放熱チューブが温水マット内を一巡して来た温水の出口が接続された出力ヘッダーが設けられていること、隣接して敷設された温水マットの入出力ヘッダーは、互いに対向するように設定されていると共に、この対向した入出力ヘッダー間において、一方の出力ヘッダーは他方の入力ヘッダーに結ばれ、他方の出力ヘッダーは前記一方の入力ヘッダーにそれぞれ結ばれていること、前記温水マットの放熱チューブは、小根太間を迂回しながら全体の温水マットを一巡するように結ばれていて、熱源機から最初に入力された入出力ヘッダーに還るように構成されていること
【発明の効果】
【００１７】
上記本発明は、非居室用の温水マットを縦型とか横型に形成したり、小型化してこれを継いで用いたりすることにより、千差万別の床の大きさ、形状に対応して施工できる。
【００１８】
この結果、高価となる特注品を選択する必要がないため、施工コストの低減が可能である。
【００１９】
また、上記本発明は、居室側と非居室側とに熱源機から供給する温水の供給ルートを並列化したことにより、温水が循環する放熱チューブの総延長距離を半減させることにより、それぞれのルートでの圧損を軽減できる。
【００２０】
この結果、熱源機内の循環ポンプを大型化する必要がないことからその分循環ポンプから発生する騒音や振動を抑えることができる。
【００２１】
また、居室側と非居室側で熱源機から供給される温水を分けたことにより、温水温度の低下率が縮小し、熱源機の負荷を軽減して省エネ化が可能である。
【図面の簡単な説明】
【００２２】
【図１】本発明に係る縦長温水マットの一例を示す説明図。
【図２】Ａ−Ａ’線断面図。
【図３】温水ヘッダーの一例を示す説明図。
【図４】クロス型入出力温水ヘッダーの説明図。
【図５】（Ａ）〜（Ｆ）縦長温水マットの形態例を示す説明図。
【図６】（Ａ）〜（Ｆ）横長温水マットの形態例を示す説明図。
【図７】縦長温水マットを上下に２枚接続して施工する例の説明図。
【図８】横長温水マットを横方向に３枚接続して施工する例の説明図。
【図９】集合住宅において本発明に係る縦長と横長の温水マットを組み合わせて施工した実施例の説明図。
【図１０】集合住宅において本発明に係る縦長と横長の温水マットを組み合わせて施工した実施例の説明図。
【発明を実施するための形態】
【実施例１】
【００２３】
本実施例１は、非居室空間用の床暖房用温水マット（以下「温水マット」と称す。）に関するものであって、図１〜４に基づいてその詳細を示す。
【００２４】
図１において、符号の１は縦型の温水マットを示し、この温水マット１の左辺１ｂには入出力ヘッダー４が設けられていると共に、上辺１ｃには同じく入出力ヘッダー４が設けられていて、この図１の温水マット１において、左辺１ｂの入出力ヘッダー４は熱源機（図示せず）に接続され、上辺１ｃの温水ヘッダー４はこの上辺１ｃに続いて上方に配設される別の温水マット１の入出力ヘッダー４に後述の接続管を用いて接続される。
【００２５】
符号の２は小根太、３は温水マット１を一巡するように配管された放熱チューブであって、この放熱チューブ３の両端は前記入出力ヘッダー４に接続されている。
【００２６】
図２は、図１のＡ−Ａ’線断面図を示すものであり、放熱チューブ３と小根太２と放熱シート９とからなる温水マット１である。
【００２７】
前記した入出力ヘッダー４の構成を図３に基づいて説明すると、この入出力ヘッダー４は、それぞれ独立した入力ヘッダー５と出力ヘッダー６を並列させた構成から成り、熱源機側の出湯ヘッダーからの導管７は入力ヘッダー５の接続口５ｂに結ばれ、出力ヘッダー６の接続口６ｂには還り導管８が結ばれている。
【００２８】
また、入力ヘッダー５には２口の放熱チューブ３の接続口５ａが形成され、この接続口５ａに放熱チューブ３の入口３ａが接続され、出力ヘッダー６には、２口の還り口６ａが形成されて、ここに温水マット１内を一巡して来た放熱チューブ３の出口３ｂが接続されている。
【００２９】
なお、入出力ヘッダー４は、図３に示すような入力ヘッダー５と入出力ヘッダー６を並列させたセパレートタイプ以外に図４に示すように、ヘッダー本体内において流路をＸ字状に交差させたクロスタイプでもよい。
【００３０】
このクロスタイプは、放熱チューブ３が２系統の場合に、それぞれの放熱チューブ３内を流れる温水の向きを対向流とする場合に用いられる。
【００３１】
また、本実施例１の放熱チューブ３内は２本の並行配管であるが、１本あるいは３本以上の配管の場合には、入力ヘッダー５と出力ヘッダー６の接続口５ａ、６ａの数は、放熱チューブ３の数に合わせた数となる。
【実施例２】
【００３２】
本実施例２は、縦型の温水マット１における入出力ヘッダー４の取り付け位置とその数を示す形態例であって、図５（Ａ）〜（Ｆ）にその代表的な形態が示されているが、この形態はあくまでも例示にすぎない。
【００３３】
図５において、（Ａ）は温水マット１の左辺１ｂに入出力ヘッダー４を１ヶ所設けた例である。
【００３４】
（Ｂ）は入出力ヘッダー４が温水マット１の下辺１ａに１ヶ所設けられた例である。
【００３５】
（Ｃ）は入出力ヘッダー４が温水マット１の左辺１ｂと右辺１ｄに設けられた例、（Ｄ）は右辺１ｄの入出力ヘッダー４の位置が（Ｃ）に比べて上部に位置した例、（Ｅ）は温水マット１の下辺１ａと右辺１ｄの上部に入出力ヘッダー４が設けられた例、（Ｆ）は温水マット１の下辺１ａと右辺１ｄにおいては中間部に入出力ヘッダー４が設けられた例であって、以上の温水マット１は、それぞれの温水マット１の施工形態に合わせて入出力ヘッダー４が最適な位置にある温水マット１を選択することになる。
【実施例３】
【００３６】
本実施例３は、横型の温水マットにおける入出力ヘッダー４の取り付け位置とその数を示す形態例であって、図６（Ａ）〜（Ｆ）にその代表的な形態を示すが、この形態はあくまでも例示にすぎない。
【００３７】
図６において、（Ａ）は温水マット１の左辺１ｂに入出力ヘッダー４を設けた例、（Ｂ）は温水マット１の下辺１ａと右辺１ｄの２ヶ所に入出力ヘッダー４を設けた例、（Ｃ）は温水マット１の下辺１ａに入出力ヘッダー４を設けた例、（Ｄ）は温水マット１の下辺１ａと右辺１ｄの２ヶ所に入出力ヘッダー４を設けた例、（Ｅ）は温水マット１の左辺１ｂと右辺１ｄの２ヶ所に入出力ヘッダー４を設けた例、（Ｆ）は温水マット１の下辺１ａと左辺１ｂ及び右辺１ｄの３ヶ所に入出力ヘッダー４を設けた例であって、これらの温水マット１の使用の形態例は図５の縦型の温水マット１の場合と同様になる。
【実施例４】
【００３８】
本実施例４は、図７に示すように、図５に例示した縦型の温水マット１の施工例であって、図５において（Ｅ）に示した温水マット１を逆さにした上で（Ｂ）に示した温水マット１を図７に示すように継いだ例である。
【００３９】
このとき、双方の温水マット１の入出力ヘッダー４間は、接続管又は接続金具を用いて下位の温水マット１の入出力ヘッダー４の出力ヘッダー６を上位の温水マット１の入力ヘッダー５に、上位の温水マット１側の出力ヘッダー６を下位の入力ヘッダー５に結ぶことにより、上下の温水マット１の放熱チューブ３を上下の温水マット全体を一巡するような配管形態としている。
【００４０】
また、下位の温水マット１において、左辺１ｂの入出力ヘッダー４の入力ヘッダー５と出力ヘッダー６には、熱源機に結ばれた温水道管（図３の符号７、８）がそれぞれ接続される。
【実施例５】
【００４１】
本実施例５は、図８に示すように、図６に例示した横型の温水マット１の施工例であって、図６（Ｅ）に示した温水マット１を２枚横方向に並べたのち、（Ａ）に示した温水マット１を右端に位置させて並べ、対向する入出力ヘッダー４間を実施例４と同じように結んだ形態である。
【実施例６】
【００４２】
本実施例６は、実際の住宅に図５及び図６の温水マット１を施工した例であって、図９，図１０において、１０は熱源機、１１は熱源機のヘッダーであって、このヘッダー１１には、洋室とか居間に施工された温水マット（図示せず）間を結ぶ導管１２，１３と、廊下，脱衣室，台所に施された温水マット１を結ぶ温水導管１４，１５が結ばれている。
【００４３】
図９の施工例は、廊下には図６に示した横型の温水マット１が一列に施工されていると共に、この例の廊下の温水マット１にはトイレ側に分岐した図５（Ｂ）に示した温水マット１が施工され、脱衣室と台所には図５（Ｂ）の温水マット１が接続されていて、以上の温水マット１内の放熱チューブ３は、すべての温水マット１内を一巡しながら温水導管１５で熱源機１０に還る配管となっている。
【００４４】
図１０の施工例は、廊下の温水マット１を中央にしてトイレ，脱衣室，台所に分岐させて施工した例であって、全温水マット１の放熱チューブ３は、図９の場合と同様に全温水マット１を循環するように配管されている。
【符号の説明】
【００４５】
１  温水マット
２  小根太
３  放熱チューブ
４  入出力ヘッダー
５  入力ヘッダー
６  出力ヘッダー
７  温水導管（往き）
８  温水導管（還り）
９  放熱シート
１０  熱源機
１１  熱源機ヘッダー
１２  温水導管
１３  温水導管
１４  温水導管
１５  温水導管
【図１】
0006449583.tif 000002
【図２】
0006449583.tif 000003
【図３】
0006449583.tif 000004
【図４】
0006449583.tif 000005
【図５】
0006449583.tif 000006
【図６】
0006449583.tif 000007
【図７】
0006449583.tif 000008
【図８】
0006449583.tif 000009
【図９】
0006449583.tif 000010
【図１０】
0006449583.tif 000011